(57)【要約】      （修正有）【課題】使用時において不安定で不便だった円柱状のマッサージローラーの安定的、持続的な利用が可能な足裏マッサージローラー器具を提供する。【解決手段】足裏マッサージローラーの両端部を円錐台状１に加工形成し、丸ゴム紐４通し用の筒穴２を設け、その筒穴の両端部はローラーの外側に向けてラッパ状に広げた形状として丸ゴム紐４を付け、輪に結合させてローラーを足裏で前後に動かして使用できるように構成したことを特徴とする丸ゴム紐付き足裏マッサージローラー器具。【選択図】図１
2013180191.tif 000002
【特許請求の範囲】
【請求項１】
両端部を円錐台状（１）に加工形成した円柱状の足裏マッサージローラーを横に置いた状態でその円の直径中央部に丸ゴム紐（４）通し用の貫通した筒穴（２）を設ける。筒穴（２）の左右両端部は外側に向けて、ラッパ状（３）に広げた形とする。
【請求項２】
足裏マッサージローラーの表面には凹凸をつけない。ゴム紐は丸ゴム紐を使用する。足裏マッサージローラーの角面はすべて面取りをする。
このように形成した足裏マッサージローラーの筒穴（２）に丸ゴム紐（４）を通し左右から出た丸ゴム紐（４）は大きさを固定した輪に製作しない。足裏マッサージローラーを使用する人の足の大きさに合わせて、使用しやすいように自由結合の構成とする。以上の特徴をもった丸ゴム紐付き足裏マッサージローラー器具。
【発明の詳細な説明】
【技術分野】
【０００１】  この発明は、両端部を円錐台状に加工形成した、円柱状のマッサージローラーの円の中央部に、丸ゴム紐通し用の貫通した筒穴を設け、マッサージローラーの角の面すべてを面取り加工して丸みをもたせ、丸ゴム紐を付けて使用することで足の裏の疲れを癒すために利用する。
丸ゴム紐付き足裏マッサージローラー器具に関するものである。
【背景技術】
【０００２】  従来足裏マッサージローラー器具として一般的に使用されているものとしては、円柱状のマッサージローラーの外周表面にいろんな型の凹凸を付けているものを足裏で転がすことによって、人体の足裏に対しマッサージ効果と押圧刺激を付与している。【０００３】  さらに比較すべきこれまでの技術としては、ポリエチレン発砲体で作られたソフトパイプと硬質パイプで作られた２種類のパイプを組合せ、内側にあたる硬質パイプに、ゴムバンドを通しパイプの左右から出たバンドを縫い合わせて輪を作り使用する。足裏マッサージローラー器具も発明されている（特許文献１参照）
【特許文献】特開平１１−１９７２０９
【発明の開示】
【発明が解決しようとする課題】
【０００４】  従来からある、ローラー式足裏マッサージ器具には、ゴム紐を付けて足裏マッサージローラーを転がし使用するものは皆無である。
そのため使用中において、足裏マッサージローラーが他方面に転がって逃げやすく、不安定で利用しにくい不便さがある。【０００５】  また、従来からある足裏マッサージローラーは、使いはじめは気持ち良く感じるが、ローラーの表面に凹凸が付いているのでしばらく使用していると、逆に足裏が痛くなってくる欠点がある。【０００６】  さらに足裏マッサージローラーの両端部が円錐台状に加工形成されたものも無い。そのために足裏マッサージローラーの使用時において押圧刺激を得ようとする踏み込みによって、マッサージローラーの両端部によるコスリキズが床材に付く欠点がある。
比較すべきものとしての（特開文献１）については、【０００７】  ゴムバンドをマッサージローラーに付けて利用することで、使用時においてマッサージローラーが他方面に転がって行かない利点がある。【０００８】  しかし使用されているゴムバンドは丸みがないために使用中において、硬質パイプの筒穴のカベにひっついたり離れたりと、不規則な動きの伸び縮みをするためにマッサージローラーの円滑な回転が望みにくい欠点がある。【０００９】  また硬質パイプの筒穴の両端部角面の面取り加工がなされていないために、硬質パイプの筒穴の角面とゴムバンドの接触摩擦が大きくゴムバンドが損傷しやすい欠点がある。【００１０】  使用時において足を入れるゴムバンドの輪が縫い合わせて作成されているために、輪の大きさが固定されてしまっているので使う人の足の大きさに合わせにくい欠点がある。【００１１】  また損傷したゴムバンドの修理取替がしにくい欠点がある。【００１２】  マッサージローラーの外周部に使用されているポリエチレン発砲体でできたソフトパイプでは、使用時において押圧刺激を得ようと踏み込んだ時、その圧で変形しやすい欠点がある。
本発明は以上のような欠点をなくすためになされたものである。
【課題を解決するための手段】  上記の目的を達成するために本発明の丸ゴム紐付き足裏マッサージローラー器具は次の構成を採用している。【００１３】  円柱状のマッサージローラーの外周面の両端部を外側に向けて、先細りで円錐台状に加工形成する。【００１４】  その加工形成された円柱状のマッサージローラーを横に置いた状態で、その円の直径中央部に丸ゴム紐通し用の貫通した筒穴を設ける。【００１５】  その貫通した筒穴の両端部は外側に向けて、ラッパ状に広げた形として、角面は面取り加工する。【００１６】  当発明のマッサージローラーに使用するゴム紐は丸ゴム紐を採用する。【００１７】  当発明の丸ゴム紐付き足裏マッサージローラーの表面には凹凸をつけない。
【発明の効果】
【００１８】  当発明のマッサージローラーに丸ゴム紐を付けて使用することにより、丸ゴム紐と筒穴のカベとの接触摩擦が少なくなりマッサージローラーが転がりやすく、安定した使用ができるようになった。【００１９】  マッサージローラー外周面の両端部を円錐台状に加工形成したことで使用中における踏み込み押圧力がマッサージローラーの端部に掛からなくなり、マッサージローラーの転がりも良く床材に対するコスリキズを防止できた。【００２０】  当発明のマッサージローラーの表面には凹凸を着けず、ローラーのもつ角面をすべて面取り加工し全体的に丸みをもたせたことにより、足裏に対する押圧感触も良くなり、ながい間使用しても足裏が痛くならなくなった。【００２１】  マッサージローラーに付けた丸ゴム紐の輪は、最初から大きさを固定して作成せずに、使う人の足の大きさに合わせた自由結合ができるように構成したことで便利になり、また、丸ゴム紐の損傷が起きた場合でも取替修理が簡単になった。【００２２】  筒穴の両端部を外側に向けてラッパ状に広げ面取り加工をしたことで、マッサージローラーの使用時において、筒穴の端部と丸ゴム紐との接触摩擦も少なくなり、マッサージローラーの動きもなめらかになった。【００２３】  安定して使用ができるようになった丸ゴム紐付きマッサージローラー器具は、足の裏だけでなく、スリッパ等の履物に付けても利用が可能になった。【００２４】  当発明の、丸ゴム紐付き足裏マッサージローラー器具は、使用時の音が低くシンプルで軽くかさばらないので、旅先、出張先、オフィス、又は乗物などのせまい場所でも足の裏の疲れほぐしや、血流促進の一助としての足の運動にも利用ができるようになった。
【発明を実施するための最良の形態】以下本発明を実施するための最良の形態について説明する。【００２５】  図示したように円柱状の丸ゴム紐付き足裏マッサージローラー器具は、両端部を円錐台状（１）に加工形成した円柱状のマッサージローラーを横に置いた状態で、その円の中央部に丸ゴム紐（４）通し用の貫通した筒穴（２）を設ける。【００２６】  さらにその筒穴（２）の左右両端部は外側に向けてラッパ状（３）に広げた形とする。【００２７】  当発明の足裏マッサージローラーの表面には、凹凸はつけない。またマッサージローラーのもつ角の面はすべて面取り加工をして、マッサージローラー本体に丸みをもたせる。【００２８】  当発明のマッサージローラーに付けて使用するゴム紐は丸ゴム紐（４）を採用する。
本発明は以上のような構成である。【００２９】  これを使用するときは、足裏をマッサージローラーの上に置き、筒穴の左右から出た丸ゴム紐を使用する人の足の大きさに合わせ、足の甲のところで適当と思う輪の強さに結合し、足を前後に動かし強弱を加減しながら使用して、足裏に対しマッサージ効果と押圧刺激を与え、さらに血行促進の一助としての足の運動効果も付与するという形態で使用できる特徴をそなえた、丸ゴム紐付き足裏マッサージローラー器具である。
【産業上の利用可能性】
【００３０】  大量生産できる。
【図面の簡単な説明】
【００３１】
【図１】斜視図
【図２】使用図
【図３】正面図
【符号の説明】
【００３２】１  マッサージローラー両端部の円錐台状を表す
２  マッサージローラー中央部に貫通した筒穴を表す
３  筒穴両端部のラッパ状の穴を表す
４  丸ゴム紐を表す
５  足裏での使用を表す
６  履物に着けての使用を表す
【図１】
2013180191.tif 000003
【図２】
2013180191.tif 000004
【図３】
2013180191.tif 000005